(57)【要約】【課題】筐体に対して開閉する開閉蓋を備え、水がかかる使用の後に開閉蓋を開けても、開閉蓋側から水が垂れることがない、開閉蓋を備えた電子機器(50)を提供する。【解決手段】内部に電子部品を有する箱状の筐体(KT)と、筐体(KT)の一面(21a)の周囲に形成された突出リブ(2g1)と、所定の回動軸(CL1)まわりに回動して一面(21a)に対して開閉する開閉蓋(1)と、開閉蓋(1)に備えられ開閉蓋(1)が閉状態で突出リブ(2g1)に密着して突出リブ(2g1)に囲まれた一面(21a)への水の浸入を防止するシート(22)と、を備える。シート(22)には、閉状態で、一面(21a)に対する回動軸(CL1)とは反対側において、突出リブ(2g1)の外側面(2gt)に対向する内面を有し外側面(2gt)に沿って延在するリブ(22c)が形成されている。【選択図】図４
2010098161.tif 000002
【特許請求の範囲】
【請求項１】
内部に電子部品を有する箱状の筐体と、前記筐体の一面の周囲に形成された第１のリブと、所定の回動軸まわりに回動して前記一面に対して開閉する開閉蓋と、前記開閉蓋に備えられ前記開閉蓋が閉状態で前記第１のリブに密着して前記第１のリブに囲まれた前記一面への水の浸入を防止するシートと、を備え、
前記シートには、前記閉状態で、前記回動軸とは反対側の端部に、前記第１のリブの外側面に対向する内面を有し前記外側面に沿って延在する第２のリブが形成されていることを特徴とする開閉蓋を備えた電子機器。
【請求項２】
前記電子部品は、スピーカであることを特徴とする請求項１記載の開閉蓋を備えた電子機器。
【請求項３】
前記閉状態で前記一面と前記シートとの間に挟持された再生プレーヤの音声出力を前記スピーカで再生するよう構成されたことを特徴とする請求項２記載の開閉蓋を備えた電子機器。
【請求項４】
前記シートは、シリコーンにより形成されていることを特徴とする請求項１乃至３のいずれか１項に記載の開閉蓋を備えた電子機器。
【発明の詳細な説明】
【技術分野】
【０００１】
本発明は、開閉蓋を備えた電子機器に係り、特に、防沫や防滴機能を有して浴室内等での使用が可能な、開閉蓋を備えた電子機器に関する。
【背景技術】
【０００２】
防沫または防滴機能を備えて浴室内や雨の屋外などで使用できるようにされた機器が知られており、その一例として特許文献１に開示された防滴防水カメラがある。
また、電子機器としては、一例として、スピーカを内蔵した本体と、その本体に対して開閉する開閉蓋とを備え、近年普及した携帯音楽プレーヤ（以下、単にプレーヤとも称する）を本体と開閉蓋との間に防滴状態で挟持すると共に、そのプレーヤからの音声出力をスピーカから再生する浴室用音声再生装置が知られている。
【０００３】
図１０及び図１１を用いてこの浴室用音声再生装置（以下、単に再生装置１５０とも称する）について説明する。
図１０は、再生装置１５０の使用状態を示す斜視図である。
図１１は、再生装置１５０の開閉蓋１０２を開けた状態を示す斜視図である。
【０００４】
再生装置１５０は、外周壁部１１７ｆと内周壁部１１７ｇとを有して２重筐体構造とされた略直方体形状の筐体１０１と、その筐体１０１の底面側に設けられた回動軸ＣＬ１０１まわりの矢印ＤＲ１０１方向に回動し筐体１０１に対して開閉する開閉蓋１０２と、筐体１０１側に設定された回動軸まわりに回動し開閉蓋１０２を筐体１０１に対して閉じた状態で固定する３つのバックル１０３と、を備えている。
また、内周壁部１１７ｇで囲まれた内側筐体１０７の内部には電子部品やスピーカなどが収納されている。
筐体１０１及び開閉蓋１０２は樹脂材により形成される。
【０００５】
開閉蓋１０２は中央に開口部１０２ａを有する枠状であり、開口部１０２ａの筐体１０１側には、シリコンゴムで形成されたパッキングシート１０４が配設されている。
そして、図１０に示すような開閉蓋１０２を閉じた状態において、プレーヤＤＡＰを、内部筐体１０７の表面に対してパッキングシート１０４で押しつけて保持するようになっている。
【０００６】
使用者は、パッキングシート１０４を介し、プレーヤＤＡＰの表示画面を視認でき、プレーヤＤＡＰの操作を行うことができるようになっている。
再生装置１５０は、図１０に示すように、浴室の棚１０５などに立てて使用する。
【０００７】
図１１を用いて、再生装置１５０にプレーヤＤＡＰを収納する作業について説明する。
プレーヤＤＡＰの取り出し作業及び収納作業は、机１０６などの水平な台の上で、使用時と異なり寝かせた姿勢で行う。
【０００８】
まず、バックル１０３を外して開閉蓋１０２を開ける。
内部筐体１０７の表面である載置面１０７ａ上にプレーヤＤＡＰを載置し、プレーヤＤＡＰの出力端子ＤＡＰ１にプラグ１０８を接続する。
【０００９】
その後、開閉蓋１０２を矢印１０２方向に閉じ、バックル１０３により開閉蓋１０２を筐体１０１に固定する。
その際、内部筐体１０７の周囲に形成され載置面１０７ａから突出するリブ１０７ｂが、パッキングシート１０４に食い込み、リブ１０７ｂで囲まれた空間内への外部からの水の浸入が防止される。
従って、開閉蓋１０２が閉じられてバックル１０３により筐体１０１に固定されていれば、再生装置１５０にシャワーの水や雨などがかかっても、プレーヤＤＡＰが濡れることはない。
【００１０】
【特許文献１】特開平７−３１９０２８号公報
【発明の開示】
【発明が解決しようとする課題】
【００１１】
ところで、再生装置１５０は、バックル１０３を回動させて開閉蓋１０２を筐体１０１に固定する構造であって、バックル１０３と筐体１０１との隙間ＢＭ１（図１０参照）などからの水の浸入を防止する構造にし難いため、上述した２重筐体構造にすると共にパッキングシート１０４を配設して、外周壁部１１７ｆはその内部への水の浸入を許容する一方、内側筐体１０７はその内部への水の浸入を規制するようにしている。
従って、図１０に示す使用状態でシャワーや雨を浴びると、特に天面のバックル１０３ｔと筐体１０１との隙間ＢＭ１から浴びた水が外周壁部１１７ｆの内部に浸入する。
【００１２】
図１２は、図１１において開閉蓋１０２を閉じた状態としたＳ１−Ｓ１断面に相当する内部筐体１０７とパッキングシート１０４との関係を示す模式的断面図である。再生装置１５０の天面側が図１２の上方になるように示している。
【００１３】
図１２において、図１０に示したバックル１０３の作用により、パッキングシート１０４は、内側筐体１０７のリブ１０７ｂが食い込む程度に内部筐体１０７に対して矢印ＤＲ２１方向に押しつけられている。
また、同様に、パッキングシート１０４は、内側筐体１０７の載置面１０７ａに載置されたプレーヤＤＡＰを載置面１０７ａに押しつけている。
【００１４】
ここで、バックル１０３の周囲などから内部に浸入した水は、水滴ＷＴや飛沫の状態で内側筐体１０７の天面１０７ｔにも到達する。
天面１０７ｔに到達した水の大部分は、水滴ＷＴ１のように内側筐体１０７の外壁をつたって下方へ流れ外部に排出されるが、一部は内側筐体１０７（内周壁部１１７ｇに相当）の外側面１０７ｃと、パッキングシート１０４の、リブ１０７ｂと当接する面における外側筐体１０７からはみ出たはみ出し面１０４ａと、の２面に接触した溜まり水ＷＴ１０２となる。
【００１５】
これは、表面張力の作用によるもので、溜まり水ＷＴ１０２の量はパッキングシート１０４と内周壁部１１７ｆを形成する樹脂の濡れ性がよい程顕著となる。
【００１６】
溜まり水ＷＴ１０２が生じた状態で使用を停止し、再生装置１５０からプレーヤＤＡＰを取り出す際には、上述したように筐体１０１を寝かせた状態で開閉蓋１０２を開ける。
【００１７】
図１３は、開閉蓋１０２を開ける途中の状態を示した図である。開閉蓋１０２を矢印ＤＲ２２方向に開けると、パッキングシート１０４もそれに伴いＤＲ２２方向に回動して開く。
【００１８】
図１３からわかるように、開閉蓋１０２が閉状態で２面に接触して保持されていた溜まり水ＷＴ１０２は、開動作に伴いパッキングシート１０４がリブ１０７ｂから離れることで、パッキングシート１０４の１面にしか接触しなくなり、保持され得ずに液滴として下方に落下する。
下方にはプレーヤＤＡＰがあるので、この落下した液滴によりプレーヤＤＡＰが濡れるという問題が生じ、改善が必要とされていた。
【００１９】
また、内部筐体１０７は、使用時に水が浸入しないようにパッキングシート１０４で覆われているが、開閉蓋１０２を開動作に伴って内部筐体１０７の表面１０７ａに水がかかることは好ましくない。
すなわち、開閉蓋１０２を開けたときに、パッキングシート１０４から水が垂れないことが望まれる。
【００２０】
そこで、本発明が解決しようとする課題は、水がかかる使用の後に開閉蓋を開けても、開閉蓋側から水が垂れることがない、開閉蓋を備えた電子機器を提供することにある。
【課題を解決するための手段】
【００２１】
上記の課題を解決するために、本願発明は手段として次の１）〜４）の構成を有する。
１）  内部に電子部品(5)を有する箱状の筐体(KT)と、前記筐体(KT)の一面(21a)の周囲に形成された第１のリブ(2g1)と、所定の回動軸(CL1)まわりに回動して前記一面(21a)に対して開閉する開閉蓋(1)と、前記開閉蓋(1)に備えられ前記開閉蓋(1)が閉状態で前記第１のリブ(2g1)に密着して前記第１のリブ(2g1)に囲まれた前記一面(21a)への水の浸入を防止するシート(22)と、を備え、
前記シート(22)には、前記閉状態で、前記回動軸(CL1)とは反対側の端部に、前記第１のリブ(2g1)の外側面(2gt)に対向する内面(22c3)を有し前記外側面(2gt)に沿って延在する第２のリブ(22c)が形成されていることを特徴とする開閉蓋を備えた電子機器(50)である。
２）  前記電子部品は、スピーカ(5)であることを特徴とする１）に記載の開閉蓋を備えた電子機器(50)である。
３）  前記閉状態で前記一面(21a)と前記シート(22)との間に挟持された再生プレーヤ(DAP)の音声出力を前記スピーカ(5)で再生するよう構成されたことを特徴とする２）に記載の開閉蓋を備えた電子機器(50)である。
４）  前記シート(22)は、シリコーンにより形成されていることを特徴とする１）乃至３）のいずれかに記載の開閉蓋を備えた電子機器(50)である。
【発明の効果】
【００２２】
本発明によれば、水がかかるような使用の後に開閉蓋を開けても、開閉蓋側から水が垂れることがないという効果を奏する。
【発明を実施するための最良の形態】
【００２３】
本発明の実施の形態を、好ましい実施例により図１〜図９を用いて説明する。
【００２４】
図１及び図２に、本発明の開閉蓋を備えた電子機器の実施例の外観を示す。
【００２５】
この開閉蓋を備えた電子機器は、左右一対のスピーカを備えて浴室用に防沫仕様とされると共に携帯音楽プレーヤを収納可能とし、収納した携帯音楽プレーヤの音声出力端子から出力される音声信号を一対のスピーカでステレオ再生する音声出力装置５０である。
図１及び図２は、この音声出力装置５０の外観斜視図であり、図１は前面右上方から見た図であり、図２は後面右上方から見た図である。
【００２６】
音声出力装置５０は、前面側となる前筐体１と後面側となる後筐体２とが組み合わされてなる筐体３を有する。
前筐体１は、後筐体２にその一辺に平行となるよう設定された回動軸ＣＬ１まわりの矢印ＤＲｋ方向に回動し、後筐体２に対して開閉可能となっている。すなわち、前筐体１は後筐体２に対する開閉蓋として機能する。
前筐体１，後筐体２，及び中板２１（図４参照）は樹脂を射出成形して形成される。
【００２７】
ここで音声出力装置５０は、筐体３の底面３ｂｔを地側にした姿勢で立てて使用するように設定されている。
筐体３の全体形状としては、底面３ｂｔを床置きした際に、後面３ｂが床（底面３ｂｔ）に対してほぼ垂直となり、前面３ｆが天面３ｔに向かう後面３ｂに接近するように傾斜した箱状とされている。
【００２８】
後筐体２の左右の側面と天面とには外方向（Ｄ１方向）に回動可能とされた３つのバックル４が設けられている。
このバックル４を外方向に開くとロックが解除され、前筐体１は後筐体２に対し回動軸ＣＬ１まわりに回動可能となって分離面ＢＭにおいて分離する。
このバックル４を内方向に回動してロックすることで、前筐体１が後筐体２に固定される。
【００２９】
後筐体２は、外周壁部２ｆ及び内周壁部２ｇを有していわゆる二重壁構造とされており、後面２ｂｃと内周壁部２ｇとその開口を塞ぐ中板２１とにより、内側筐体ＫＴが構成され、この内側筐体ＫＴの内部に電子部品などを収納した収納室２ｒが閉じた空間として形成されている。
中板２１は、ねじ（図示せず）などにより内壁部２ｇに固定される。
中板２１が内壁部２ｇに固定された状態で、内壁部２ｇの周囲には中板２１の表面２１ａよりも突出するように突出リブ２ｇ１が設けられている（図４及び図５参照）。
【００３０】
前筐体１は枠状の基部１ａとその開口部を覆うように張られたパッキングシート２２（以下、単にシート２２とも称する）とを有する。
【００３１】
ここでシート２２について図３及び図４を用いて詳述する。
図３は、シート２２の３面図であり、図３（ａ）が正面図、図３（ｂ）が天面図、図３（ｃ）が右側面図、図３（ｄ）が背面図である。
図３（ａ）における紙面手前側の面が中板２１の表面２１ａと対向するように前筐体１に取り付けられる。
図４は、シート２２を取り付けた前筐体１を閉じてプレーヤＤＡＰを挟持した状態を示す模式的断面図である。
【００３２】
シート２２は、シリコーン材を用い、周縁側に厚肉の周壁部２２ａが形成されると共に周壁部２２ａに囲まれた概ね矩形の領域が薄肉部２２ｂとして形成されている。薄肉部２２ａは、肉厚が例えば０．５ｍｍとされ、ほぼ透明で弾力性を有している。
周壁部２２ａには、天面側の一部を除いて薄肉部２２ｂを囲うように溝部２２ａ１が形成されている。
この溝部２２ａ１が前筐体１に設けられたリブ１ｂと嵌合して、シート２２は前筐体１に取り付けられる。
【００３３】
シート２２ａの正面側の天側には、水平方向（図３の左右方向）に延在するリブ２２ｃが形成されている。
このリブ２２ｃは、長さＬ１、幅Ｗ１、高さＴ１とすると、例えば、Ｗ１＝０．５ｍｍ、Ｔ１＝１．０ｍｍとされる。長さＬ１については、バックル４付近の形状に関連した寸法とされ、詳しくは後述する。
【００３４】
シート２２は、透明または半透明の弾力性を有するシートであり、材料としてシリコンシートなどが用いられる。
【００３５】
このシート２２は、中板２１及び内周壁部２ｇを覆い、外形が内周壁部２ｇの外形よりも大きく形成されている。また、中板２１は、前筐体１を閉じた状態においてその表面２１ａがシート２２と近接対向するように配設される。
そして、前筐体１を閉じバックル４でロックした状態において、シート２２が中板と内周壁部２ｇとを跨るように覆うと共に内周壁部２ｇに密着して収納室２ｒ内に水が浸入するのを防止するよう構成されている。
【００３６】
全体の説明に戻り、図１及び図２において、後筐体２は、前面側が開放した箱状であり、その左右の側面２ｓそれぞれの底面２ｂｔ側には、小径の貫通孔である音孔２ａが複数個集合して概ね円形の領域を占める音孔群２ｂ（以下、音孔群部２ｂｂとも称する）が形成されている。この一対の音孔群２ｂの内方側であって、内周壁部２ｇと中板２１とで囲まれた収納室２ｒ内に、各音孔群２ｂに対応してスピーカ５がそれぞれ配設されている。
【００３７】
後筐体２の後面２ｂｃにおけるほぼ中央部には、ネジまたは鍔係合により着脱自在とされた円形の電池蓋２ｃが取り付けられている。この鍔係合は、カメラの交換式レンズにおけるいわゆるバヨネット構造に相当するものである。
この電池蓋２ｃを外すと、後面２ｂｃに対して凹として設けられた電池収納室２ｄ（図４参照）が開放され、その電池収納室２ｄ内に装着されこの装置を駆動するための電池をユーザが交換することができる。
電池蓋２ｃと後筐体２との間にはシールリング２ｄ１（図４参照）が配設され、電池蓋２ｃが装着された状態において、両者の隙間から水が内部に侵入することはない。
【００３８】
後筐体２の後面２ｂの右上部には、図示しない電気回路と接続され電源の入り切りと音量調節とを兼用するノブ２ｐが配設されている。
【００３９】
中板２１とシート２２との間には、プレーヤＤＡＰの出力端子に接続するプラグを他端側に備えた接続ケーブル（図示せず）が配設される。接続ケーブルの他端側は音量を調節する電気回路を経てスピーカ５に接続されている。
また、中板２１にはその接続ケーブルを嵌め込むことができる凹部（図示せず）
が形成されている。
【００４０】
上述の構成を有する音声再生装置５０に対してプレーヤＤＡＰを収納する場合には、まず、バックル４を開いてロックを解除し、前筐体１を回動軸ＣＬ１まわりに回動させて後筐体２に対して開いた状態にする。以下、この状態を前筐体１の開状態と称することにする。
【００４１】
次に、接続ケーブルをプレーヤＤＡＰの出力端子に接続し、そのプレーヤＤＡＰを中板２１とシート２２との間に位置させ、シート２２をプレーヤＤＡＰ上に被せるようにして前筐体１を後筐体２に嵌め込み、バックル４を閉じ方向に回動してロックする。
このロックにより、プレーヤＤＡＰの厚さ分シート２２の薄肉部２２ｂが弾性変形し、その反発力によりプレーヤＤＡＰは中板２１の表面２１ａに付勢されシート２２と中板２１との間に挟持される。以下、この状態を前筐体１の閉状態と称することにする。
この閉状態を示した模式的断面図が図４である。図４は、再生装置５０の縦断面図であり、紙面右方が底面側、上方が前面側となっている。
【００４２】
この閉状態で、ユーザは、プレーヤＤＡＰの画面を、シート２２の薄肉部２２ｂを通して外部から視認でき、表面に配置された押しボタンなどの入力子を、薄肉部２２ｂを介して操作することができる。
従って、プレーヤＤＡＰに対するシート２２を介した外部からの操作により、プレーヤＤＡＰに格納された音声コンテンツをスピーカ５から再生することができる。
【００４３】
図５は、図４におけるＡ部拡大図であり、使用状態である天側を上方にした姿勢で示している。
また、内周壁部２ｇは部分断面として図示している。
【００４４】
図５において、図１に示すバックル４の作用により、シート２２は、内周壁部２ｇの突出リブ２ｇ１が食い込むように内周壁部２ｇに対して矢印ＤＲ２方向に押しつけられて内部を封止している。
また、同様に、シート２２の薄肉部２２ｂは、プレーヤＤＡＰを中板２１に対して矢印ＤＲ３方向に押しつけている。
また、シート２２のリブ２２ｃは、その内壁面２２ｃ３が内周壁部２ｇの天面２ｇｔと隙間無く、あるいは僅かな隙間を有して位置するように形成されている。
【００４５】
ここで、バックル４の周囲などから外周壁部２ｆ（図５には図示せず）の隙間などから浸入した水は、水滴ＷＴや飛沫の状態で内周壁部２ｇの天面２ｇｔにも到達する。
内周壁部２ｇの天面２ｇｔは、前方から後方（図５の右方から左方）に向かって底面側に僅かに傾斜している。また、中央から両側面に向かうに従って、すなわち、中央から図５の紙面手前側及び奥側に向かうに従って底面側に僅かに傾斜して形成されている。
従って、天面２ｇｔに到達した水の大部分は、これらの傾斜により、図５に示される水滴ＷＴ１のように外周壁部２ｆの外壁をつたって後方及び下方へ流れ外部に排出される。
【００４６】
一方、シート２２のリブ２２ｃ近傍に到達した水滴等は、リブ２２ｃの外壁面２２ｃ１とシート２２のリブ２２ｃより外側の内面２２ｃ２との二つの面に接触して溜まり水ＷＴ２となる。
【００４７】
これは、表面張力の作用によるもので、保持される溜まり水ＷＴ２の量は、シート２２と内周壁部２ｇを形成する樹脂の濡れ性がよい程顕著となる。
また、外壁面２２ｃ１と、これに対応する範囲の内面２２ｃ２との面積が大きいほど、多量に保持される。
また、リブ２２ｃの先端面２２ｃｓｔと内周壁部２ｇの天面２ｇｔとで保持される水が僅かにあるが、リブ２２ｃの幅Ｗ１を０．５ｍｍ程度に小さく形成しているので、保持される量は無視できる程度に少なくなっている。
【００４８】
図６は、溜まり水ＷＴ２が保持された状態を模式的に示す斜視図である。
この図６は、図５に対して左右が逆転した向きで示されている。
【００４９】
シャワーや雨などの水は、外部から例えば矢印ＳＫのルートでバックル４と外周壁部２ｆとの隙間から内部に浸入し、一部がシート２２近傍に到達する。
【００５０】
溜まり水ＷＴ２が生じた状態で再生装置５０の使用を停止し、その再生装置５０からプレーヤＤＡＰを取り出す際には、筐体３を寝かせた状態で前筐体１を開ける。
【００５１】
図７は、前筐体１を開ける途中の状態におけるシート２２などを示した断面図である。シート２２は、前筐体１と共に矢印ＤＲ４方向に回動する。
【００５２】
図７からわかるように、前筐体１を開けても、溜まり水ＷＴ２は、リブ２２ｃの外壁面２２ｃ１とシート２２のリブ２２ｃより外側の内面２２ｃ２との二つの面で接触しているので、その二つの面に保持された状態で維持される。すなわち、溜まり水ＷＴ２は前筐体１側に付着したままとなる。
従って、溜まり水ＷＴ２は下方に落下せず、プレーヤＤＡＰが濡れることはない。また、中板２１やその周囲に水が垂れないので収納室２ｒに水が浸入することはない。
【００５３】
次に、図８を用いてリブ２２ｃの長さＬ１について説明する。
図８は、再生装置５０の後面上方側から見た斜視図であり、バックル４を取りはずした状態を示している。この状態でバックル４に係合する回動軸部４ｊ，４ｊが視認される。
また、リブ２２ｃの外壁面２２ｃ１及び内面２２ｃ２で保持された溜まり水ＷＴ２を、外形線を一点鎖線とした点描領域で示している。
【００５４】
図８には、内周壁部２ｇと外周壁部２ｆとを連結して後筐体２の剛性を確保する左右中央の３つのリブ２３Ｌ，２３Ｒ，２３Ｃが形成されている。
これらのリブの内、少なくとも左右のリブ２３Ｌ，２３Ｒは、閉状態でシート２２の内面２２ｃ２及びリブ２２ｃとの間に隙間を形成する。この隙間は、水の排出経路となる。
【００５５】
具体的には、上述のように、天面２ｇｔはリブ２３Ｃの両側が傾斜面となっているので、バックル４と外周壁部２ｆとの隙間から天面２ｇｔに到達した水の大部分が、この排出経路である図８の矢印ＳＫ１及びＳＫ２の経路で排出される。
従って、リブ２２ｃの長さＬ１は、その両端の外側に、天面２ｇｔに到達した水の排出経路を形成する程度の長さに設定されている。
【００５６】
上述したように、実施例の再生装置５０は、溜まり水ＷＴ２が、シート２２の二つの面と接触し得るようにしたことで、開閉蓋である前筐体２を開く際に水が垂れないという効果を奏するものである。
【００５７】
本発明の実施例は、上述した構成及び手順に限定されるものではなく、本発明の要旨を逸脱しない範囲において変形例としてもよいのは言うまでもない。
【００５８】
実施例におけるシート２２のリブ２２ｃ近傍の形状は、図９に例を示すように変形が可能である。図９の各図は、シート２２のリブ２２ｃ近傍の断面図である。
【００５９】
図９（ａ）は、リブ２２ｃの外壁面２２ｃ１と内面２２ｃ２とが交わる部位に、内側に抉った溜まり部２２ｄを形成した例である。
この溜まり部２２ｄによってより多量の水を溜まり水ＷＴ２として保持できるので、前筐体１を開けた際の水の垂れを極めて良好に防止する。
【００６０】
図９（ｂ）は、リブ２２ｃの先端面２２ｃｓｔにおける２２ｃ２側にＲを設けた例である。
このＲ付けにより、リブ２２ｃの先端２２ｓｔと内周壁部２ｇの天面２ｇｔとで僅かに保持される水の量を更に少なくすることができるので、前筐体１を開けた際の水の垂れを極めて良好に防止する。
【００６１】
図９（ｃ）は、リブ２２ｃの外壁面２２ｃ１と内面２２ｃ２との表面を粗面とした例である。
この粗面化により、両面に接触して保持される溜まり水ＷＴ２が強固に付着するので、前筐体１を開けた際に衝撃などが加わっても、溜まり水ＷＴ２が下方に垂れる可能性が極めて少なくなる。
【００６２】
実施例と変形例の各例とは、互いに任意に組み合わせることが可能である。
【図面の簡単な説明】
【００６３】
【図１】本発明の開閉蓋を備えた電子機器の実施例を示す外観斜視図である。
【図２】本発明の開閉蓋を備えた電子機器の実施例を示す他の角度から見た外観斜視図である。
【図３】本発明の開閉蓋を備えた電子機器の実施例における要部部品を示す３面図である。
【図４】本発明の開閉蓋を備えた電子機器の実施例を説明するための断面図である。
【図５】本発明の開閉蓋を備えた電子機器の実施例を説明するための要部の断面図である。
【図６】本発明の開閉蓋を備えた電子機器の実施例を説明するための要部の斜視図である。
【図７】本発明の開閉蓋を備えた電子機器の実施例の作用を説明するための要部の模式的断視図である。
【図８】本発明の開閉蓋を備えた電子機器の実施例を説明するための斜視図である。
【図９】本発明の開閉蓋を備えた電子機器の実施例における変形例を説明するための図である。
【図１０】従来の開閉蓋を備えた電子機器の外観斜視図である。
【図１１】従来の開閉蓋を備えた電子機器における開閉蓋を開けた状態を示す斜視図である。
【図１２】従来の開閉蓋を備えた電子機器を説明するための断面図である。
【図１３】従来の開閉蓋を備えた電子機器を説明するための他の断面図である。
【符号の説明】
【００６４】
１  前筐体
１ａ  基部
１ｂ  リブ
２  後筐体
２ａ  音孔
２ｂ  音孔群
２ｂｂ  音孔群部
２ｂｃ  後面
２ｂｔ  底面
２ｃ  電池蓋
２ｄ  電池収納室
２ｄ１  シールリング
２ｆ  外周壁部
２ｇ  内周壁部
２ｇ１  突出リブ
２ｇｔ  天面
２ｐ  ノブ
２ｒ  収納室
２ｓ  側面
３  筐体
３ｂ  後面
３ｂｔ  底面
３ｆ  前面
３ｔ  天面
４  バックル
５  スピーカ
２１  中板
２１ａ  表面
２２  （パッキング）シート
２２ａ  周壁部
２２ｂ  薄肉部
２２ｃ  リブ
２２ｃ１  外壁面
２２ｃ２  内面
２２ｃ３  内壁面
２２ｃｓｔ  先端面
２２ｄ  溜まり部
２３Ｌ，２３Ｒ，２３Ｃ  リブ
５０  音声出力装置
１０１  筐体
１０２  開閉蓋
１０２ａ  開口部
１０３  バックル
１０４  パッキングシート
１０５  棚
１０６  机
１０７  内部筐体
１０７ａ  載置面
１０７ｂ  リブ
１０７ｃ  外側面
１０７ｔ  天面
１０８  プラグ
１５０  再生装置
ＢＭ  分離面
ＣＬ１  回動軸
ＤＡＰ  プレーヤ
ＫＴ  内側筐体
【図１】
2010098161.tif 000003
【図２】
2010098161.tif 000004
【図３】
2010098161.tif 000005
【図４】
2010098161.tif 000006
【図５】
2010098161.tif 000007
【図６】
2010098161.tif 000008
【図７】
2010098161.tif 000009
【図８】
2010098161.tif 000010
【図９】
2010098161.tif 000011
【図１０】
2010098161.tif 000012
【図１１】
2010098161.tif 000013
【図１２】
2010098161.tif 000014
【図１３】
2010098161.tif 000015